(57)【要約】【課題】太陽光発電システムにおいて、異常があると判断されたストリングの中で、作業員がメンテナンスの対象となるＰＶパネルを特定するために要する時間を短縮し、作業員の作業効率の劣化を抑制する。【解決手段】表示装置は、複数の太陽光パネルを含む太陽光発電システムの少なくとも一部を表示可能な表示部と、太陽光発電システムの少なくとも一部を構成する電気的要素を選択可能な操作部と、操作部によって選択された電気的要素の電気的な接続状態を表示部に表示させる制御部と、を備える。【選択図】図７
2015162520.tif 000002
【特許請求の範囲】
【請求項１】
複数の太陽光パネルを含む太陽光発電システムの少なくとも一部を表示可能な表示部と、
前記太陽光発電システムの少なくとも一部を構成する電気的要素を選択可能な操作部と、
前記操作部によって選択された電気的要素の電気的な接続状態を前記表示部に表示させる制御部と、を備える、
表示装置。
【請求項２】
請求項１に記載の表示装置であって、
前記操作部において、前記電気的要素として前記太陽光パネルが選択される場合、
前記制御部は、
少なくとも前記太陽光パネルに接続されるケーブルを前記表示部に表示させる、
表示装置。
【請求項３】
請求項１又は２に記載の表示装置であって、
前記太陽光発電システムが前記複数の太陽光パネルが直列に接続された１つ以上のストリングを含み、前記操作部において前記ストリングの少なくとも一部を構成する電気的要素が選択される場合、
前記制御部は、
前記ストリングの少なくとも一部を構成する複数の太陽光パネルの接続状態を前記表示部に表示させる、
表示装置。
【請求項４】
請求項１に記載の表示装置であって、
前記太陽光発電システムが前記複数の太陽光パネルが直列に接続された複数のストリングを集線する接続箱を含み、前記操作部において前記ストリングの少なくとも一部を構成する電気的要素が選択される場合、
前記制御部は、
少なくとも前記接続箱を前記表示部に表示させる、
表示装置。
【請求項５】
請求項４に記載の表示装置であって、
前記操作部において前記接続箱が選択される場合、
前記制御部は、
前記接続箱に接続される前記ストリングの少なくとも一部を構成する電気的要素を前記表示部に表示させる、
表示装置。
【請求項６】
請求項１に記載の表示装置であって、
前記太陽光発電システムが少なくとも１つの太陽光パネルの出力電力を制御する発電制御装置を含み、前記操作部において前記発電制御装置に接続される前記電気的要素が選択される場合、
前記制御部は、
少なくとも前記発電制御装置を前記表示部に表示させる、
表示装置。
【請求項７】
請求項６に記載の表示装置であって、
前記操作部において前記発電制御装置が選択される場合、
前記制御部は、
前記発電制御装置に接続される前記電気的要素を前記表示部に表示させる、
表示装置。
【請求項８】
請求項３に記載の表示装置であって、
前記ストリング毎に、各ストリングを形成する太陽光パネルの接続状態を示す第１の接続状態データを記憶する記憶部、を更に備え、
前記表示部は、
前記太陽光発電システムにおける前記１つ以上のストリングの設置位置を示すマップデータを表示し、
前記制御部は、
前記表示部に表示された前記マップデータにおいて、前記１つ以上のストリングのうちいずれかのストリングの選択操作に応じて、前記第１の接続状態データを用いて、選択された前記ストリングを形成する前記複数の太陽光パネルの接続状態を前記表示部に表示させる、
表示装置。
【請求項９】
請求項４又は５に記載の表示装置であって、
ｎ（ｎ：２以上の整数）個のストリングと、前記ｎ個のストリングを個別に接続する電力線を集線する接続箱との接続状態を示す第２の接続状態データを記憶する記憶部、を更に備え、
前記制御部は、
前記ｎ個のストリングのうちいずれかのストリングの選択操作に応じて、前記第２の接続状態データを用いて、選択された前記ストリングと選択された前記ストリングに対応する前記接続箱との接続状態を前記表示部に表示させる、
表示装置。
【請求項１０】
請求項８に記載の表示装置であって、
前記記憶部は、
ｎ（ｎ：２以上の整数）個のストリングと、前記ｎ個のストリングを個別に接続する電力線を集線する接続箱と、ｍ（ｍ：２以上の整数）個の前記接続箱を介して（ｎ×ｍ）個の前記ストリングにより測定された直流電力を所定電力に変換するパワーコンディショナとの接続状態を示す第３の接続状態データと、を更に記憶し、
前記制御部は、
前記表示部に表示された前記マップデータにおける前記（ｎ×ｍ）個のストリングのうちいずれかのストリングの選択操作に応じて、前記第３の接続状態データを用いて、選択された前記ストリングと選択された前記ストリングに対応する前記接続箱と前記パワーコンディショナとの接続状態を前記表示部に表示させる、
表示装置。
【請求項１１】
請求項８に記載の表示装置であって、
前記記憶部は、
ｎ（ｎ：２以上の整数）個のストリングと、前記ｎ個のストリングを個別に接続する電力線を集線する接続箱と、ｍ（ｍ：２以上の整数）個の前記接続箱を介して（ｎ×ｍ）個の前記ストリングにより測定された直流電力を所定電力に変換するパワーコンディショナとの接続状態を示す第３の接続状態データと、を更に記憶し、
前記制御部は、
前記表示部に表示された前記マップデータにおける前記パワーコンディショナの選択操作に応じて、前記第３の接続状態データを用いて、選択された前記パワーコンディショナと選択された前記パワーコンディショナに対応するｍ個の前記接続箱と（ｎ×ｍ）個の前記ストリングとの接続状態を前記表示部に表示させる、
表示装置。
【請求項１２】
複数の太陽光パネルを含む太陽光発電システムの少なくとも一部を表示可能な表示部と、
前記太陽光発電システムの少なくとも一部を構成する電気的要素の異常を検出可能な異常検出部と、
前記異常検出部によって検出された電気的要素の電気的な接続関係を前記表示部に表示させる表示部と、を備える、
表示装置。
【請求項１３】
複数の太陽光パネルを含む太陽光発電システムの少なくとも一部を表示可能な表示部と、
前記太陽光発電システムの少なくとも一部を構成する電気的要素の異常を検出可能な異常検出部と、
前記異常検出部によって検出された電気的要素の電気的な接続関係を前記表示部に表示させる制御部と、
電力を蓄電可能であり、前記表示部に給電可能な蓄電部と、を備える、
携帯端末。
【請求項１４】
請求項１３に記載の携帯端末であって、
前記携帯端末の位置情報を取得する位置情報取得部、を更に備え、
前記制御部は、
前記表示部に表示された前記太陽光発電システムの少なくとも一部を構成する電気的要素の電気的な接続関係に、前記位置情報取得部により取得された前記携帯端末の位置情報を更に表示させる、
携帯端末。
【請求項１５】
請求項１４に記載の携帯端末であって、
前記制御部は、
前記太陽光発電システムの少なくとも一部を構成する電気的要素のうち、異常があると判断された前記電気的要素の選択操作に応じて、選択された前記電気的要素の太陽光発電における発電量を測定する無線測定器に、所定の音声を出力させ、所定色の光を点灯させ、又は特定周波数の信号を送信させる、
携帯端末。
【請求項１６】
請求項１４に記載の携帯端末であって、
前記制御部は、
前記太陽光発電システムの少なくとも一部を構成する電気的要素のうち、異常があると判断された前記電気的要素の選択操作に応じて、前記太陽光発電システムの設置範囲内に設けられた第１の外部機器に所定の音声を出力させ、所定色の光を点灯させ又は特定周波数の信号を送信させる、
携帯端末。
【請求項１７】
請求項１４に記載の携帯端末であって、
前記制御部は、
前記太陽光発電システムの少なくとも一部を構成する電気的要素のうち、異常があると判断された前記電気的要素の選択操作に応じて、選択された前記電気的要素の太陽光発電における発電量を測定する無線測定器に特定周波数の信号を出力させ、前記太陽光発電システムのメンテナンス作業員により所持される第２の外部機器に特定周波数の信号を受信させる、
携帯端末。
【請求項１８】
複数の太陽光パネルを含む太陽光発電システムにおいて用いられる表示装置における接続表示方法であって、
前記太陽光発電システムの少なくとも一部の電気的要素を表示するステップと、
前記太陽光発電システムの少なくとも一部の電気的要素の選択を受け付けるステップと、
選択された前記電気的要素の電気的な接続関係を表示するステップと、を有する、
接続表示方法。
【発明の詳細な説明】
【技術分野】
【０００１】
本発明は、太陽光発電システムのメンテナンス作業において用いられる表示装置、携帯端末及び接続表示方法に関する。
【背景技術】
【０００２】
従来から、太陽光発電パネル（以下、「ＰＶ（Photo Voltaic）パネル」という）を用いて、太陽光エネルギーを電気エネルギーに変換することで発電を行う太陽光発電システムが普及している。太陽光発電システムでは、発電時に廃棄物、排水、騒音、振動が発生せず、非常用電源としても活用が期待されることから、環境的な観点も含めて注目されている。
【０００３】
太陽光発電システムの特性上、ＰＶパネルは屋外に設置されることが多いので、太陽光発電システムを運営するにあたっては、ＰＶパネルが故障しないように定期的に保守したり、故障があると判断されたＰＶパネルを修復したりするメンテナンス作業を行うことが重要となる。但し、太陽光発電システムの設置範囲は広いことが多いので、メンテナンス作業を行う作業員にとって、太陽光発電システムの設置範囲が広いほど、作業対象のＰＶパネルの位置情報を知ることは決して容易ではない。
【０００４】
ここで、簡易な構成によって太陽光発電システムの太陽電池パネルの位置情報を取得する先行技術として、特許文献１に示す太陽光発電システムが知られている。
【０００５】
特許文献１に示す太陽光発電システムでは、メンテナンス端末は、太陽電池パネルの識別情報を取得し、メンテナンス端末の位置を示す位置情報を太陽光発電パネルの位置情報として取得し、データロガーを介して集中管理装置に送信する。各太陽電池パネルは、自己の識別情報と動作状態を示す状態データとをデータロガーを介して集中管理装置に送信する。集中管理装置は、各太陽電池パネルの識別情報及び位置情報に対応付けて状態データを記憶し、状態データから異常がある太陽電池パネルを特定し、特定された太陽電池パネルの識別情報及び位置情報を出力する。
【先行技術文献】
【特許文献】
【０００６】
【特許文献１】特開２０１１−１８１８５３号公報
【発明の概要】
【発明が解決しようとする課題】
【０００７】
メガソーラと呼ばれる大規模な太陽光発電システムの中には、例えば数百〜数千のＰＶパネルが設置されることも多い。このような太陽光発電システムにおけるメンテナンス作業では、作業員は、異常があると判断されたＰＶパネルの設置場所に到着した後、異常があると判断されたＰＶパネルを含むストリングを目視し、そのストリングの中で異常があると判断されたＰＶパネルがどのように異常であるかを確認しようとする。この場合、複数のＰＶパネルがそのストリングの中でどのように接続されているかが明確に分からないと、作業者のメンテナンス作業効率が劣化する。
【０００８】
上述した特許文献１の構成では、複数のＰＶパネルにより構成されるストリングのうち、異常があると判断されたＰＶパネルを含むストリングの設置場所に到着するためのナビゲーション情報がメンテナンス端末の画面に表示される。しかし、作業員がメンテナンス対象となるストリングの設置場所に到着した後、異常があると判断されたＰＶパネルと他のＰＶパネルとの接続関係を具体的に示すものではない。
【０００９】
そこで、本発明は、上述した従来の課題を解決するために、太陽光発電システムにおいて、異常があると判断されたストリングの中で、作業員がメンテナンスの対象となるＰＶパネルを特定するために要する時間を短縮し、作業員の作業効率の劣化を抑制する表示装置、携帯端末及び接続表示方法を提供することを目的とする。
【課題を解決するための手段】
【００１０】
本発明は、複数の太陽光パネルを含む太陽光発電システムの少なくとも一部を表示可能な表示部と、前記太陽光発電システムの少なくとも一部を構成する電気的要素を選択可能な操作部と、前記操作部によって選択された電気的要素の電気的な接続状態を前記表示部に表示させる制御部と、を備える、表示装置である。
【００１１】
また、本発明は、複数の太陽光パネルを含む太陽光発電システムの少なくとも一部を表示可能な表示部と、前記太陽光発電システムの少なくとも一部を構成する電気的要素の異常を検出可能な異常検出部と、前記異常検出部によって検出された電気的要素の電気的な接続関係を前記表示部に表示させる制御部と、電力を蓄電可能であり、前記表示部に給電可能な蓄電部と、を備える、携帯端末である。
【００１２】
また、本発明は、複数の太陽光パネルを含む太陽光発電システムにおいて用いられる表示装置における接続表示方法であって、前記太陽光発電システムの少なくとも一部の電気的要素を表示するステップと、前記太陽光発電システムの少なくとも一部の電気的要素の選択を受け付けるステップと、選択された前記電気的要素の電気的な接続関係を表示するステップと、を有する、接続表示方法である。
【発明の効果】
【００１３】
本発明によれば、太陽光発電システムにおいて、異常があると判断されたストリングの中で、作業員がメンテナンスの対象となるＰＶパネルを特定するために要する時間を短縮し、作業員の作業効率の劣化を抑制することができる。
【図面の簡単な説明】
【００１４】
【図１】本実施形態の太陽光発電システムのシステム構成の一例を示す図
【図２】本実施形態のストリングモニタ子機のハードウェア構成の一例を詳細に示すブロック図
【図３】本実施形態のストリングモニタ親機のハードウェア構成の一例を詳細に示すブロック図
【図４】本実施形態の携帯端末のハードウェア構成を詳細に示すブロック図
【図５】本実施形態の太陽光発電システムにおけるストリング、接続箱、パワーコンディショナの各設置場所を示すストリングマップデータ上に携帯端末の現在位置を示すデータが表示された画面の一例を示す図
【図６】（Ａ）特定のストリングの選択操作に応じて、選択されたストリングと接続されている接続箱とこの接続箱に接続されているパワーコンディショナとの接続関係の表示例を示す図、（Ｂ）特定のパワーコンディショナの選択操作に応じて、選択されたパワーコンディショナと接続されている各接続箱と各接続箱に接続されている複数のストリングとの接続関係の表示例を示す図
【図７】特定のストリングの選択操作に応じて、選択されたストリングを形成する複数のＰＶパネルの具体的な接続関係の表示例を示す図
【図８】異常があると判断されたストリングの選択操作に応じて、該当するストリングに対応して設けられたストリングモニタ子機又は周囲に設置されたポールに取り付けられた専用端末から音声出力させる例の説明図
【図９】異常があると判断されたストリングの選択操作に応じて、該当するストリングに対応して設けられたストリングモニタ子機から送信された特定周波数の信号を受信する受信端末に表示された信号レベルを用いて、該当するストリングの設置場所を作業者にガイドする例の説明図
【図１０】図９に示す受信端末のハードウェア構成を詳細に示すブロック図
【発明を実施するための形態】
【００１５】
以下、本発明に係る表示装置、携帯端末及び接続表示方法の実施形態（以下、「本実施形態」という）の内容について、図面を参照して説明する。本実施形態の表示装置、携帯端末は、複数のＰＶパネルが直列に接続された１つ以上のストリングを含む太陽光発電システムにおいて、例えばメンテナンス作業を行うメンテナンス作業員により用いられる。但し、本実施形態の表示装置又は携帯端末は、太陽光発電システムのメンテナンス作業員により使用されるものに限定されない。また、本発明は、表示装置又は携帯端末の動作の一例を規定した接続表示方法とすることも可能である。
【００１６】
また、以下の本実施形態の表示装置又は携帯端末を含む太陽光発電システムにおいて、複数のＰＶパネルが直列に接続された構成を「ストリング」という。
【００１７】
（本実施形態の太陽光発電システムのシステム構成）
先ず、本実施形態の太陽光発電システム１００のシステム構成について、図１を参照して説明する。図１は、本実施形態における太陽光発電システム１００のシステム構成の一例を示す図である。図１に示す太陽光発電システム１００は、１つ以上のストリングＳＴＲ１，ＳＴＲ２，ＳＴＲ３と、無線通信対応のストリングモニタ子機ＭＳＬ１，ＭＳＬ２，ＭＳＬ３と、接続箱４０と、パワーコンディショナ５０と、携帯端末６０と、無線通信対応のストリングモニタ親機ＭＭＳと、データロガー８０と、モニタサーバ９０とを含む構成である。なお、図１に示す太陽光発電システム１００では、説明を簡単にするために、３つのストリングが示されているが、ストリングの形成数は３に限定されない。
【００１８】
ストリングＳＴＲ１，ＳＴＲ２，ＳＴＲ３は、複数の太陽光パネル（ＰＶパネル）が直列に接続された構成であり、例えば図１では各ストリングにおいて５つのＰＶパネルが直列に接続している。具体的には、ストリングＳＴＲ１では、ＰＶパネル１１Ａ１とＰＶパネル１１Ａ２とＰＶパネル１１Ａ３とＰＶパネル１１Ａ４とＰＶパネル１１Ａ５とが直列に接続し、ストリングＳＴＲ２では、ＰＶパネル１２Ａ１とＰＶパネル１２Ａ２とＰＶパネル１２Ａ３とＰＶパネル１２Ａ４とＰＶパネル１２Ａ５とが直列に接続し、ストリングＳＴＲ３では、ＰＶパネル１３Ａ１とＰＶパネル１３Ａ２とＰＶパネル１３Ａ３とＰＶパネル１３Ａ４とＰＶパネル１３Ａ５とが直列に接続している。図１に示す各ＰＶパネルの動作は同様であるため、以下、ＰＶパネル、ストリングモニタ子機の説明においては、ＰＶパネル１１Ａ１、ストリングモニタ子機ＭＳＬ１を例示する。
【００１９】
ＰＶパネル１１Ａ１は、光電効果によって太陽光エネルギーを電気エネルギー（例えば直流電力）に変換する発電機能を有する太陽電池セルを含み、より具体的には、複数の太陽電池セルが所定の配列に従って配置された太陽電池モジュールである。例えばストリングＳＴＲ１では、ＰＶパネル１１Ａ１とＰＶパネル１１Ａ２とＰＶパネル１１Ａ３とＰＶパネル１１Ａ４とＰＶパネル１１Ａ５とは、電力線（Power Line）上に直列に接続される（図１参照）。また、ストリングＳＴＲ１には、各ＰＶパネル１１Ａ１，１１Ａ２，１１Ａ３，１１Ａ４，１１Ａ５の光電効果により得られた所定物理量（例えば発電電力量、発電電流）を測定する無線測定器の一例としてのストリングモニタ子機ＭＳＬ１が設けられる。
【００２０】
図１に示す太陽光発電システム１００では、ストリングＳＴＲ１を接続する電力線とストリングＳＴＲ２を接続する電力線とストリングＳＴＲ３を接続する電力線とは並列に接続されており、各ストリングを個別に接続する電力線は接続箱４０において集線されて、太陽電池アレイ（ＰＶアレイ）が形成される。なお、図１では合計３つのストリングＳＴＲ１，ＳＴＲ２，ＳＴＲ３により１つのＰＶアレイが形成されているが、１つのＰＶアレイを形成するためのストリングの数は３つに限定されない。
【００２１】
無線測定器の一例としてのストリングモニタ子機ＭＳＬ１は、ＰＶパネル１１Ａ１〜１１Ａ５の太陽光発電における所定物理量を周期的に測定し、無線通信によって測定結果データをストリングモニタ親機ＭＭＳに送信する。ストリングモニタ子機ＭＳＬ１の測定周期は、例えば１０分とし、１日の日照時間を午前１０時から午後３時までとする場合には、ストリングモニタ子機ＭＳＬ１は、１日につき、合計１０分×５＝５０回測定する。また、ストリングモニタ子機ＭＳＬ１は、自己が設置されたＰＶパネル１１Ａ１の発電電力（発電量）を制御してもよい。つまり、ストリングモニタ子機ＭＳＬ１は、ストリングモニタ子機ＭＳＬ１に接続されているＰＶパネル１１Ａ１の発電電力（直流電力）を検出し、この発電電力（直流電力）が所望電力となるように制御してもよい。なお、所望電力は、例えば各ストリングモニタ子機に接続されている各ＰＶパネルの設置方向、設置場所又は日照条件に応じて、ストリングモニタ子機毎に異なっても良いし同一でも良い。
【００２２】
なお、ストリングモニタ子機ＭＳＬ１は、ストリングモニタ子機ＭＳＬ１に接続されているＰＶパネル１１Ａ１に対してＭＰＰＴ（Maximum Power Point Tracking）制御を行っても良い。ＭＰＰＴ制御とは、ストリングモニタ子機に接続されている各ＰＶパネルに最大の発電量を出力させるための制御技術である。ＭＰＰＴ制御は、公知技術により実現可能であり、例えば山登り法が用いられる。
【００２３】
ここで、ストリングモニタ子機ＭＳＬ１の詳細な内部構成について、図２を参照して説明する。図２は、本実施形態のストリングモニタ子機ＭＳＬ１のハードウェア構成の一例を詳細に示すブロック図である。なお、上述したように、図１に示す各ストリングモニタ子機ＭＳＬ２，ＭＳＬ３は、ストリングモニタ子機ＭＳＬ１と同様の構成を有する。図２に示すストリングモニタ子機ＭＳＬ１は、電源部ＳＬ１と、制御部ＳＬ２と、電流検出部ＳＬ３と、電圧検出部ＳＬ４と、有線通信部ＳＬ５と、無線通信部ＳＬ６と、位置情報取得部ＳＬ７と、報知部ＳＬ８と、入力端子ＩＮＰ１と、出力端子ＯＵＴ１とを含む構成である。なお、有線通信部ＳＬ５及び無線通信部ＳＬ６は、例えば、ストリングモニタ親機ＭＭＳとの通信機能を有するものであり、少なくともいずれか一方が設けられればよい。
【００２４】
ストリングモニタ子機ＭＳＬ１は、例えばＰＶパネル１１Ａ１の出力、即ち、発電電力を、入力端子ＩＮＰ１側から出力端子ＯＵＴ１側にそのまま通過させることにより、ＰＶパネル１１Ａ１の発電電力を監視する。
【００２５】
電源部ＳＬ１は、例えばＰＶパネル１１Ａ１の出力、即ち、発電電力の供給を受けることにより、ストリングモニタ子機ＭＳＬ１内の各部の動作に必要となる電力を供給する。
【００２６】
制御部ＳＬ２は、プロセッサ（例えばＣＰＵ（Central Processing Unit）、ＭＰＵ（Micro Processing Unit）又はＤＳＰ（Digital Signal Processor））と、メモリ（例えばＲＯＭ（Read Only Memory）とを有し、プロセッサにおいてメモリに格納されたプログラムを実行することにより、各種の信号を実行し、更に、所定の信号処理を各部に実行させるための制御信号を出力する。
【００２７】
例えば、制御部ＳＬ２は、電流検出部ＳＬ３により検出されたＰＶパネル１１Ａ１からの発電電流と、電圧検出部ＳＬ４により検出されたＰＶパネル１１Ａ１からの出力電圧とを乗算することにより、ＰＶパネル１１Ａ１の出力電力（発電電力）を算出する。また、制御部ＳＬ２は、ＰＶパネル１１Ａ１の出力電力、出力電流及び出力電圧の少なくとも１つのデータを、ストリングＳＴＲ１の太陽光発電における測定結果データとして、有線通信部ＳＬ５又は無線通信部ＳＬ６に出力する。なお、ＰＶパネル１１Ａ１の出力電力及び出力電圧は、ストリングＳＴＲ１の電力及び電圧に相当しないが、ＰＶパネル１１Ａ１の出力電流は、ストリングＳＴＲ１の電流に相当する。よって、出力電流は、測定結果データとして、有線通信部ＳＬ５又は無線通信部ＳＬ６を介して送信される方が好ましい。これにより、太陽光発電システム１００の管理者は、ストリングＳＴＲ１の状態をより正確に把握することができる。
【００２８】
また、制御部ＳＬ２は、ストリングＳＴＲ１における異常の有無を判断しても良い。具体的には、制御部ＳＬは、上記測定結果データと所定閾値との比較により、ストリングＳＴＲ１における異常を判定する。異常判定に使用する測定結果データは、ＰＶパネル１１Ａ１の出力電力又は出力電流又は出力電圧でもよい。但し、上述したようにＰＶパネル１１Ａ１の出力電流はストリングＳＴＲ１の電流に相当するため、出力電流を用いて異常判定を行うことで、ストリングＳＴＲ１における異常判定の誤検知を抑制することができる。
【００２９】
例えば、ＰＶパネル１１Ａ５が故障した場合、ＰＶパネル１１Ａ５の出力は低下するため、ストリングＳＴＲ１を流れる電流は低下する。つまり、ＰＶパネル１１Ａ１〜１１Ａ４の出力電流も低下する。よって、ストリングＳＴＲ１を構成するＰＶパネル１１Ａ１〜１１Ａ５のいずれか１つが故障する場合でも、正常に動作する他のＰＶパネルの出力電流は低下する。これにより、太陽光発電システム１００のようにストリングＳＴＲ１を構成する全てのＰＶパネル１１Ａ〜１１Ａ５にストリングモニタ子機ＭＳＬ１が設けられない場合でも、ＰＶパネル１１Ａ１の出力電流を監視することで、ストリングモニタ子機ＭＳＬ１が設けられていない他のＰＶパネル１１Ａ２〜１１Ａ５の故障も容易に検出することができる。すなわち、ストリングＳＴＲ１における異常判定の誤検知を抑制することができる。
【００３０】
また、ストリングＳＴＲ１の異常判定に利用する上記所定閾値は、予め決められた固定の値でもよいし、条件によって変更される値でもよいし、複数のパラメータによって算出された値でもよい。但し、異常判定の誤検知を抑制するために、所定閾値は複数のストリングＳＴＲ１〜ＳＴＲ３の測定結果データに基づく値が好ましい。例えば、複数のストリングＳＴＲ１〜ＳＴＲ３の測定結果データの平均値や、この平均値に所定値をプラスした値又はマイナスした値などである。
【００３１】
例えば、曇りの時間帯では、太陽光発電システム１００は全体的に出力電力、出力電流及び出力電圧が低下する。この環境下では、各ＰＶパネル１１Ａ１〜１１Ａ５は故障していないにも関わらず、出力が低下する。このとき、上記所定閾値が複数のストリングＳＴＲ１〜ＳＴＲ３の測定結果データに基づく値であれば、この所定閾値も低い値に設定される。よって、各ストリングモニタ子機ＭＳＬ１〜ＭＳＬ３は、測定結果データを比較する所定閾値が太陽光発電システム１００の環境下に応じた値であるため、異常判定の誤検知を抑制することができる。
【００３２】
なお、後述するように、図１に示す各ストリングＳＴＲ１〜ＳＴＲ３の異常の有無は、ストリングモニタ子機ＭＳＬ１〜ＭＳＬ３により判断されても良いし、ストリングモニタ親機ＭＭＳ、携帯端末６０、データロガー８０及びモニタサーバ９０のうちいずれか１つ以上の装置により判断されても良い。
【００３３】
また、制御部ＳＬ２は、位置情報取得部ＳＬ７から出力されたストリングモニタ子機ＭＳＬ１の位置情報を取得して有線通信部ＳＬ５又は無線通信部ＳＬ６に出力する。
【００３４】
また、制御部ＳＬ２は、後述する携帯端末６０を所持するメンテナンス作業員の入力操作に応じて、ストリングモニタ親機ＭＭＳから特定動作制御信号（後述参照）を、有線通信部ＳＬ５又は無線通信部ＳＬ６が受信した場合には、特定動作制御信号に対応した特定動作を実行する。特定動作とは、太陽光発電システム１００の設置範囲（設置エリア）にいるメンテナンス作業員に対し、メンテナンス作業員の現在位置から、異常があると判断されたストリングまでをガイドするために実行される動作である。本実施形態の特定動作は、例えば、所定音を出力させること、ＬＥＤ（Light Emitting Diode）により所定色の光を点灯させること、特定周波数の信号を送信することである。これらの特定動作に関する説明は、図８又は図９を参照して後述する。
【００３５】
電流検出部ＳＬ３は、例えば公知の電流検出回路を用いて構成され、ストリングモニタ子機ＭＳＬ１に接続されたＰＶパネル１１Ａ１からの発電電流（出力電流）を検出し、検出結果のデータを制御部ＳＬ２に出力する。
【００３６】
電圧検出部ＳＬ４は、例えば公知の電圧検出回路を用いて構成され、ストリングモニタ子機ＭＳＬ１に接続されたＰＶパネル１１Ａ１から出力電圧を検出し、検出結果のデータを制御部ＳＬ２に出力する。
【００３７】
有線通信部ＳＬ５は、例えば電力線を用いた電力線通信（ＰＬＣ：Power Line Communication）により、他のストリングモニタ子機ＭＳＬ２，ＭＳＬ３、ストリングモニタ親機ＭＭＳ又はパワーコンディショナ５０との間で有線通信する。
例えば、有線通信部ＳＬ５は、制御部ＳＬ２から出力された太陽光発電における測定結果データ、ストリングモニタ子機ＭＳＬ１の位置情報、ストリングＳＴＲ１の異常の有無の判断結果データをストリングモニタ親機ＭＭＳに送信してもよい。なお、有線通信の種別は、電力線通信に限定されない。
【００３８】
無線通信部ＳＬ６は、例えば所定の通信規格（例えば、ＤＥＣＴ（Digital Enhanced Cordless Telecommunication）、無線ＬＡＮ（Local Area Network）、又はＺｉｇｂｅｅ（登録商標）を含む）に対応した無線通信により、ストリングモニタ親機ＭＭＳ又はパワーコンディショナ５０との間で無線通信する。
例えば、無線通信部ＳＬ６は、制御部ＳＬ２から出力された太陽光発電における測定結果データ、ストリングモニタ子機ＭＳＬ１の位置情報、ストリングＳＴＲ１の異常の有無の判断結果データをストリングモニタ親機ＭＭＳに送信してもよい。但し、無線通信部ＳＬ６は、ストリングモニタ子機ＭＳＬ１がストリングＳＴＲ１の異常の有無を判断していない場合には、ストリングＳＴＲ１の異常の有無の判断結果をストリングモニタ親機ＭＭＳへの送信を省略してもよい。
【００３９】
位置情報取得部ＳＬ７は、例えばＧＰＳ（Global Positioning System）受信器を用いて構成され、ストリングモニタ子機ＭＳＬ１の位置情報を示すデータを取得して制御部ＳＬ２に出力する。なお、図１に示す太陽光発電システム１００において、ストリングモニタ子機ＭＳＬ１の設置時にＧＰＳ機能を有する外部端末を用いて、ストリングモニタ子機ＭＳＬ１の位置情報を取得しておき、この位置情報とストリングＳＴＲ１の識別情報とストリングモニタ子機ＭＳＬ１の識別情報とを制御部ＳＬ２に予め登録（保存）しても良い。こうすることで、ストリングモニタ子機ＭＳＬ１に位置情報取得部ＳＬ７の構成を省略できる。
【００４０】
報知部ＳＬ８は、ストリングモニタ親機ＭＭＳから特定動作制御信号を有線通信部ＳＬ５又は無線通信部ＳＬ６が受信した場合には、制御部ＳＬ２からの制御信号に応じて、所定音を出力し、ＬＥＤにより所定色の光を点灯し、又は、特定周波数の信号を送信する。これにより、ストリングモニタ子機ＭＳＬ１は、例えば異常があるストリングがストリングＳＴＲ１であると判断された場合に、所定音を出力し、ＬＥＤにより所定色の光を点灯し、又は、特定周波数の信号を送信することにより、メンテナンス作業員に対し、メンテナンス作業の対象となるストリングの場所の特定に要する時間を短縮させることができる。
【００４１】
入力端子ＩＮＰ１は、ＰＶパネル１１Ａ１側に接続され、ＰＶパネル１１Ａ１からの出力が入力される。また、出力端子ＯＵＴ１は、接続箱４０側に接続され、ストリングモニタ子機ＭＳＬ１に入力されたＰＶパネル１１Ａ１からの出力がそのまま出力される。
【００４２】
接続箱４０は、ストリングＳＴＲ１，ＳＴＲ２，ＳＴＲ３を個別に接続する各電力線を集線してパワーコンディショナ５０に接続する。接続箱４０は、例えば、ストリングＳＴＲ１を接続する電力線とストリングＳＴＲ２を接続する電力線とストリングＳＴＲ３を接続する電力線との接続端子と、点検や保守の際に用いるスイッチと、避雷素子と、電気の逆流の防止用の逆流防止ダイオードとを含む。また、接続箱４０は、パワーコンディショナ５０と一体化されても良いし、省略されても良い。
【００４３】
パワーコンディショナ５０は、接続箱４０を介して各ストリングＳＴＲ１〜ＳＴＲ３から出力された直流電力を変換処理（例えばＤＣＤＣ変換処理）し、更に、ＤＣＤＣ変換後の直流電力を交流電力に変換処理（例えばＤＣＡＣ変換処理）する。パワーコンディショナ５０は、例えば分電盤（不図示）に接続される。なお、パワーコンディショナ５０は、上述したＤＣＤＣ変換処理において、パワーコンディショナ５０に供給された電力が最大となるようにＭＰＰＴ制御を行っても良い。パワーコンディショナ５０のＭＰＰＴ制御とは、太陽光発電システム１００の各ＰＶパネルの総発電量を最大化するための制御である。パワーコンディショナ５０におけるＭＰＰＴ制御は、公知技術により実現可能であり、例えば山登り法が採用される。なお、図１では説明を簡単にするために、接続箱４０及びパワーコンディショナ５０は１つとしているが、１つに限定されない。
【００４４】
ストリングモニタ親機ＭＭＳは、１つ以上のストリングモニタ子機ＭＳＬ１〜ＭＳＬ３との間で有線通信又は無線通信する。ストリングモニタ親機ＭＭＳは、例えばストリングＳＴＲ１〜ＳＴＲ３毎の太陽光発電における所定物理量の測定結果データを、ストリングモニタ子機ＭＳＬ１〜ＭＳＬ３から受信してデータロガー８０に出力する。なお、ストリングモニタ親機ＭＭＳの設置場所は、特に限定されず例えばストリングモニタ子機との有線通信又は無線通信が可能な場所に設置されても良いし、パワーコンディショナ５０内に設置されても良い。図１では、ストリングモニタ親機ＭＭＳは、単独の装置として設置された場合が例示されている。
【００４５】
また、ストリングモニタ親機ＭＭＳは、携帯端末６０を所持するメンテナンス作業員の入力操作に応じて、データロガー８０から出力された特定動作制御信号を取得すると、太陽光発電システム１００の設置範囲内であって、異常があると判断されたストリング（例えばストリングＳＴＲ１）の周囲に設置されたポールＰＬに取り付けられた専用端末ＥＸＭに、特定動作制御信号を送信する（図８参照）。
【００４６】
更に、ストリングモニタ親機ＭＭＳは、携帯端末６０を所持するメンテナンス作業員の入力操作に応じて、データロガー８０から出力された特定動作制御信号を取得すると、異常があると判断されたストリング（例えばストリングＳＴＲ１）に対応するストリングモニタ子機（例えばストリングモニタ子機ＭＳＬ１）に特定動作制御信号を送信する（図９参照）。このようなストリングモニタ親機ＭＭＳの動作の詳細については、図８及び図９を参照して後述する。
【００４７】
ここで、ストリングモニタ親機ＭＭＳの詳細な内部構成について、図３を参照して説明する。図３は、本実施形態のストリングモニタ親機ＭＭＳのハードウェア構成の一例を詳細に示すブロック図である。図３に示すストリングモニタ親機ＭＭＳは、電源部ＭＳ１と、制御部ＭＳ２と、通信部ＭＳ３とを含む構成である。制御部ＭＳ２は、プロセッサＭＳ２１と、ワークメモリＭＳ２２と、Ｉ／Ｆ（Interface）部Ｍ２３と、フラッシュメモリＭＳ２４とを有する。通信部ＭＳ３は、データロガー８０と通信するための有線通信部ＭＳ３Ａと、ストリングモニタ子機ＭＳＬ１〜ＭＳＬ３と通信するための無線通信部ＭＳ３Ｂとを含む。
【００４８】
電源部ＭＳ１は、外部電源（例えば交流電源又は直流電源）からの電力供給を受けて、ストリングモニタ親機ＭＭＳ１内の各部の動作に必要な電力を供給する。
【００４９】
制御部ＭＳ２は、例えばワークメモリＭＳ２２（例えばＲＡＭ：Random Access Memory）に格納されたプログラムをプロセッサＭＳ２１において実行することにより、各種の信号処理を行う。制御部ＭＳ２による処理結果は、例えばＩ／Ｆ部ＭＳ２３を介して通信部ＭＳ３から他の装置（例えばデータロガー８０、ストリングモニタ子機ＭＳＬ１〜ＭＳＬ３）へ送信又は出力される。Ｉ／Ｆ部ＭＳ２３は、制御部ＭＳ２と通信部ＭＳ３との間のインタフェースであり、例えば、ＵＡＲＴ（Universal Asynchronous Receiver Transmitter）又はＩ２Ｃを含む。
【００５０】
通信部ＭＳ３は、ストリングモニタ子機ＭＳＬ１〜ＭＳＬ３との間で、有線通信又は無線通信を用いて通信する。この通信方式は、例えば電力線を介した電力線通信（ＰＬＣ）、ＤＥＣＴ、無線ＬＡＮ通信又はＺｉｇｂｅｅ（登録商標）を含む。
【００５１】
データロガー８０は、ストリングモニタ親機ＭＭＳから出力されたデータ、即ち、各ストリングＳＴＲ１〜ＳＴＲ３の太陽光発電における所定物理量の測定結果データを取得する。以下、説明を簡単にするために、図１に示す太陽光発電システム１００の全てのストリングＳＴＲ１〜ＳＴＲ３の太陽光発電における所定物理量の測定結果データを、便宜的に「集約発電データ」という。データロガー８０は、ネットワークＮＷを介して接続されたモニタサーバ９０又は携帯端末６０に集約発電データを送信する。また、データロガー８０は、集約発電データをモニタサーバ９０又は携帯端末６０に送信する代わりに、各ストリングモニタ子機ＭＳＬ１〜ＭＳＬ３から個別に送信された測定結果データを受信する度に、この測定結果データをモニタサーバ９０又は携帯端末６０に送信しても良い。
【００５２】
また、データロガー８０は、太陽光発電システム１００における各ストリングＳＴＲ１〜ＳＴＲ３の異常の有無を判断しても良い。具体的には、データロガー８０は、各ストリングＳＴＲ１〜ＳＴＲ３の発電電流の測定値とストリング故障判定用電流閾値（所定値）とを比較し、各ストリングＳＴＲ１〜ＳＴＲ３の発電電流の測定値のうちいずれかがストリング故障判定用電流閾値より小さい場合には、いずれかのストリングは異常があると判断する。
【００５３】
また、データロガー８０は、携帯端末６０を所持するメンテナンス作業員の入力操作に応じて、携帯端末６０から送信された特定動作制御信号を受信すると、太陽光発電システム１００の設置範囲内であって、異常があると判断されたストリングの周囲に設置されたポールＰＬに取り付けられた専用端末ＥＸＭに特定動作制御信号を送信するようにストリングモニタ親機ＭＭＳに指示する（図８参照）。
【００５４】
更に、データロガー８０は、携帯端末６０を所持するメンテナンス作業員の入力操作に応じて、携帯端末６０から送信された特定動作制御信号を受信すると、異常があると判断されたストリングに対応するストリングモニタ子機（例えばストリングモニタ子機ＭＳＬ１）に特定動作制御信号を送信するようにストリングモニタ親機ＭＭＳに指示する（図９参照）。このようなデータロガー８０の動作の詳細については、図８及び図９を参照して後述する。
【００５５】
ネットワークＮＷは、有線ネットワーク（例えばイントラネット、インターネット）でも良いし、無線ネットワーク（例えば無線ＬＡＮ（Local Area Network）、ＩｒＤＡ、Ｂｌｕｅｔｏｏｔｈ（登録商標）、ＷｉＧｉｇ）でも良い。
【００５６】
モニタサーバ９０は、データロガー８０から一斉に送信された集約発電データ又は個々に送信された測定結果データを受信し、太陽光発電システム１００の各ストリングＳＴＲ１〜ＳＴＲ３におけるＰＶパネルの発電量を監視する。モニタサーバ９０は、太陽光発電システム１００における各ストリングＳＴＲ１〜ＳＴＲ３の異常の有無を判断する。具体的には、モニタサーバ９０は、各ストリングＳＴＲ１〜ＳＴＲ３の発電電流の測定値とストリング故障判定用電流閾値（所定値）とを比較し、各ストリングＳＴＲ１〜ＳＴＲ３の発電電流の測定値のうちいずれかがストリング故障判定用電流閾値より小さい場合には、いずれかのストリングは異常があると判断する。
【００５７】
また、モニタサーバ９０は、携帯端末６０が有する太陽光発電システムＤＢ６６（後述参照）と同一の太陽光発電システムＤＢを有し、携帯端末６０を所持するメンテナンス作業員の入力操作に応じて、太陽光発電システム１００における各ストリング−接続箱−パワーコンディショナの位置情報をマトリックス状に示すストリングマップデータＭＰ（図５参照）を生成して携帯端末６０に送信する。なお、ストリングマップデータＭＰは、携帯端末６０において生成されても良い。
【００５８】
携帯端末６０は、太陽光発電システム１００のメンテナンス作業を行うメンテナンス作業員により所持され、メンテナンス作業に供するために使用される。例えば、携帯端末６０は、操作部６１に対するメンテナンス作業員の入力操作に応じて、モニタサーバ９０から必要なデータ（例えばストリングマップデータ）を取得して表示部６２に表示したり、データロガー８０から送信されたデータ（例えば集約発電データ、測定結果データ）をモニタサーバ９０に送信して記憶させたりする。
【００５９】
ここで、表示装置の一例としての携帯端末６０の詳細な内部構成について、図４を参照して説明する。図４は、本実施形態の携帯端末６０のハードウェア構成を詳細に示すブロック図である。図４に示す携帯端末６０は、操作部６１と、表示部６２と、位置情報取得部６３と、制御部６４と、通信部６５と、太陽光発電システムＤＢ６６とを含む構成である。携帯端末６０は、例えばタブレット端末又はスマートフォンを用いて構成され、電力を蓄電可能な蓄電部の一例としてのバッテリ（不図示）を備え、バッテリから電力（直流電力）を表示部６２に給電可能である。但し、携帯端末６０は、タブレット端末やスマートフォンに限定されない。
【００６０】
入力部の一例としての操作部６１は、メンテナンス作業員の入力操作を受け付けるユーザインターフェース（ＵＩ：User Interface）であり、例えばマウス、機械的なボタン、キーボード等のポインティングデバイスであり、又は、表示部６２の表示画面に対応して配置され、メンテナンス作業員の指若しくはスタイラスペンによる入力操作を受け付けるタッチパネルやタッチパッドでも良く、これらの構成に限定されない
【００６１】
表示部６２は、例えばＬＣＤ（Liquid Crystal Display）又は有機ＥＬ（Electroluminescence）を用いて構成され、制御部６４により出力されたデータ（例えばストリングマップデータ、携帯端末６０の現在位置を示すデータ）を画面において表示する。
【００６２】
位置情報取得部６３は、例えばＧＰＳ受信器を用いて構成され、携帯端末６０の現在位置、即ち、メンテナンス作業員の現在位置を示すデータを取得して制御部６４に出力する。
【００６３】
制御部６４は、プロセッサ（例えばＣＰＵ、ＭＰＵ又はＤＳＰ）と、メモリ（例えばＲＯＭ）とを有し、プロセッサにおいてメモリに格納されたプログラムを実行することにより、各種の信号を実行し、更に、所定の信号処理を各部に実行させるための制御信号を出力する。
【００６４】
例えば、制御部６４は、データロガー８０から送信された集約発電データ又は測定結果データを表示部６２に表示させることにより、太陽光発電システム１００においてどのストリングに異常があるか否かをメンテナンス作業員に確認させる。
【００６５】
また、制御部６４は、操作部６１に対するメンテナンス作業員の入力操作に応じて、モニタサーバ９０から送信された又は太陽光発電システムＤＢ６６から読み出した太陽光発電システム１００のストリングマップデータＭＰと、位置情報取得部６３から出力された携帯端末６０の現在位置を示すデータ６０Ｐとを表示部６２に表示させる（図５参照）。これにより、携帯端末６０は、例えば異常があると判断されたストリングＡＢＳＴＲの位置をメンテナンス作業員が知っている場合には、ストリングマップデータ上に表示された携帯端末の現在位置を示すデータ６０Ｐをメンテナンス作業員に確認させることにより、異常があると判断されたストリングＡＢＳＴＲにメンテナンス作業員が到着するまでに要する時間を短縮させることができる。
【００６６】
ここで、ストリングマップデータＭＰについて、図５を参照して説明する。図５は、本実施形態の太陽光発電システム１００におけるストリング、接続箱、発電制御装置の一例としてのパワーコンディショナの各設置場所を示すストリングマップデータＭＰ上に携帯端末６０の現在位置を示すデータ６０Ｐが表示された画面の一例を示す図である。
【００６７】
マップデータの一例としてのストリングマップデータＭＰは、太陽光発電システムにおける全部又は一部のストリングがマトリックス状に配置して表示され、図５では複数の行番号（具体的には行Ａ〜行Ｌ）と複数の列番号（具体的には列１〜列２８）とにより各ストリングが識別可能となっている。また、ストリングマップデータＭＰは、ストリングと接続箱との接続状態を示すデータ、又はストリングと接続箱とパワーコンディショナとの接続状態を示すデータを基にして生成される。このため、携帯端末６０は、例えばメンテナンス作業員の入力操作に応じて、いずれかの電気的要素の一例としてのストリングＳＴＲ又はパワーコンディショナ５０ａ，５０ｂが選択された場合には、選択されたストリング又はパワーコンディショナと接続関係を有するＰＶパネル、ストリング、接続箱、パワーコンディショナとの全部又は一部の接続状態を視覚的に表示する（図６（Ａ）、図６（Ｂ）又は図７参照）。なお、携帯端末６０は、接続状態を表示部６２に表示する場合、単に接続関係を表示しても良いし、太陽光発電システム１００の全体を表示した上で、接続状態に該当する部分を強調して表示しても良い。なお、電気的要素は、太陽光発電システム１００を構成する要素（装置）であり、ＰＶパネル単体、複数のＰＶパネル、ストリング、接続箱、パワーコンディショナ、及び、ＰＶパネル同士を接続するケーブルのうちいずれかであり、以下同様である。
【００６８】
また、制御部６４は、例えば異常があると判断されたストリングＡＢＳＴＲの位置をメンテナンス作業員が知らない場合には、操作部６１に対するメンテナンス作業員の入力操作に応じて、表示部６２に表示されたストリングマップデータＭＰ上のうち異常があると判断されたストリングＳＴＲが選択された場合には、次の３通りの動作１〜動作３のいずれかに対応する特定動作制御信号を生成して通信部６５に出力する。なお、制御部６４は、表示部６２に表示されたストリングマップデータＭＰ上のうち異常があると判断されたストリングＳＴＲが選択された場合に限らず、表示部６２に表示されたストリングマップデータＭＰ上に表示されたいずれかの電気的要素の異常が検出された場合に、次の３通りの動作１〜動作３のいずれかに対応する特定動作制御信号を生成して通信部６５に出力しても良い。従って、以下の説明において、「表示部６２に表示されたストリングマップデータＭＰ上のうち異常があると判断されたストリングＳＴＲが選択された場合」を、「表示部６２に表示されたストリングマップデータＭＰ上に表示されたいずれかの電気的要素の異常が検出された場合」に読み替えても良い。
【００６９】
（動作１）データロガー８０及びストリングモニタ親機ＭＭＳを介して、異常があると判断されたストリングＡＢＳＴＲに対応するストリングモニタ子機に、所定音を出力させ、ＬＥＤにより所定色の光を点灯させ、又は特定周波数の信号を送信させる、という動作（図８参照）。
（動作２）データロガー８０及びストリングモニタ親機ＭＭＳを介して、太陽光発電システム１００の設置範囲内であって、異常があると判断されたストリングＡＢＳＴＲの付近に設置されているポールＰＬに取り付けられた専用端末ＥＸＭに、所定音を出力させ、ＬＥＤにより所定色の光を点灯させ、又は特定周波数の信号を送信させる、という動作（図８参照）。
（動作３）データロガー８０及びストリングモニタ親機ＭＭＳを介して、異常があると判断されたストリングＡＢＳＴＲに対応するストリングモニタ子機に、特定周波数の信号を送信させ、且つ、太陽光発電システム１００のメンテナンス作業員により所持される受信端末ＲＣＭに特定周波数の信号を受信させる、という動作（図９参照）。
【００７０】
通信部６５は、データロガー８０から送信されたデータ（例えば集約発電データ、測定結果データ）、モニタサーバ９０から送信されたデータ（例えばストリングマップデータＭＰ）を受信して制御部６４に出力し、制御部６４が太陽光発電システムＤＢ６６から読み出したデータ又はストリングマップデータＭＰの生成指示のデータをモニタサーバ９０に送信する。
【００７１】
記憶部の一例としての太陽光発電システムＤＢ６６は、例えばハードディスク装置又は半導体メモリ（例えばＲＡＭ等の揮発性メモリや、フラッシュメモリ等の不揮発性メモリ）を用いて構成され、図１に示す太陽光発電システム１００において測定された太陽光発電の測定結果データ、集約発電データ、操作部８１により入力された各種データ、その他のデータを記憶する。
【００７２】
例えば、太陽光発電システムＤＢ６６は、ストリングマップデータＭＰを生成するために必要なデータ、即ち、ストリングと接続箱との接続状態を示すデータ、又はストリングと接続箱とパワーコンディショナとの接続状態を示すデータを記憶する。ストリングと接続箱との接続状態を示すデータとは、例えば、１つの接続箱に接続されるｎ（ｎ：２以上の整数）個のストリングとの対応関係（接続状態）を示すデータである。同様に、ストリングと接続箱とパワーコンディショナとの接続状態を示すデータとは、例えば、１つのパワーコンディショナに接続されるｍ（ｍ：２以上の整数）個の接続箱と、ｍ個の接続箱に接続される（ｎ×ｍ）個のストリングとの対応関係（接続状態）を示すデータである。更に、太陽光発電システムＤＢ６６は、各ストリングを形成する複数のＰＶパネルの接続状態を示すデータをストリング毎に記憶している。なお、太陽光発電システムＤＢ６６が揮発性メモリを用いて構成される場合には、太陽光発電システムＤＢ６６に記憶されるデータは、携帯端末６０の外部から都度送信され、携帯端末６０において受信されたデータである。
【００７３】
（ストリングと接続箱とパワーコンディショナとの接続状態の表示例）
次に、本実施形態の太陽光発電システム１００において、ストリングと接続箱とパワーコンディショナとの接続状態の表示例について、図６（Ａ）及び図６（Ｂ）を参照して説明する。図６（Ａ）は、特定のストリングＡＢＳＴＲの選択操作に応じて、選択されたストリングＡＢＳＴＲと接続されている接続箱ＡＢ４０とこの接続箱ＡＢ４０に接続されているパワーコンディショナ５０ａとの接続関係の表示例を示す図である。図６（Ｂ）は、特定のパワーコンディショナ５０ａの選択操作に応じて、選択されたパワーコンディショナ５０ａと接続されている各接続箱と各接続箱に接続されている複数のストリングとの接続関係の表示例を示す図である。
【００７４】
例えば、携帯端末６０の表示部６２に表示されたストリングマップデータＭＰが示されており、メンテナンス作業員が、太陽光発電システムのメンテナンス作業のために携帯端末６０を所持しながら、異常があると判断されたストリングＡＢＳＴＲの設置場所に行く場合を想定する。更に、メンテナンス作業員は、異常があると判断されたストリングＡＢＳＴＲと接続関係がある接続箱及びパワーコンディショナを確認したいとする。
【００７５】
この場合、操作部６１に対するメンテナンス作業員の入力操作により、ストリングマップデータＭＰ上の異常があると判断されたストリングＡＢＳＴＲが選択された場合には、携帯端末６０は、ストリングマップデータＭＰ上において、選択されたストリングＡＢＳＴＲと接続関係を有する接続箱ＡＢ４０及びパワーコンディショナＡＢ５０との接続状態を、接続線ＣＮＴを用いて具体的に表示する。
【００７６】
これにより、携帯端末６０は、異常があると判断されたストリングＡＢＳＴＲがどの接続箱（接続箱ＡＢ４０）及びどのパワーコンディショナ（パワーコンディショナ５０ａ）と接続関係があるのかを、メンテナンス作業員に対して視覚的に示すことにより、メンテナンス作業員のメンテナンス作業の確認事項を早期に知らせることができ、作業効率の劣化を抑制することができる。
【００７７】
同様に例えば、携帯端末６０の表示部６２に表示されたストリングマップデータＭＰが示されており、メンテナンス作業員が、太陽光発電システムのメンテナンス作業のために携帯端末６０を所持しながら、異常があると判断されたパワーコンディショナＡＢ５０ａの設置場所に行く場合を想定する。更に、メンテナンス作業員は、異常があると判断されたパワーコンディショナＡＢ５０ａと接続関係がある接続箱及びストリングを確認したいとする。
【００７８】
この場合、操作部６１に対するメンテナンス作業員の入力操作により、ストリングマップデータＭＰ上の異常があると判断されたパワーコンディショナＡＢ５０ａが選択された場合には、携帯端末６０は、ストリングマップデータＭＰ上において、選択されたパワーコンディショナＡＢ５０ａと接続関係を有する接続箱及びストリングとの接続状態を、範囲線ＡＲＡを用いて具体的に表示する。
【００７９】
これにより、携帯端末６０は、異常があると判断されたパワーコンディショナＡＢ５０ａがどれだけの接続箱及びストリングと接続関係があるのかを、メンテナンス作業員に対して視覚的に示すことにより、該当するパワーコンディショナのメンテナンス作業に伴う接続箱及びストリングへの影響をメンテナンス作業員に分かり易く明示することができる。
【００８０】
（ストリングとＰＶパネルとの接続状態の表示例）
次に、本実施形態の太陽光発電システム１００において、ストリングとこのストリングを形成する複数のＰＶパネルとの接続状態の表示例について、図７を参照して説明する。図７は、特定のストリングＳＴＲ２１の選択操作に応じて、選択されたストリングＳＴＲ２１を形成する複数のＰＶパネルの具体的な接続関係の表示例を示す図である。
【００８１】
例えば、携帯端末６０の表示部６２に表示されたストリングマップデータＭＰが示されており、メンテナンス作業員が、太陽光発電システムのメンテナンス作業のために携帯端末６０を所持しながら、異常があると判断されたストリングＳＴＲ２１の設置場所（以下、「作業現場」ともいう）に到着した後のメンテナンス作業において、異常があると判断されたストリングＳＴＲ２１がどれだけのＰＶパネルがどのように接続されているかを確認したい状況を想定する。
【００８２】
この場合、作業現場に到着したメンテナンス作業員の操作部６１に対する入力操作により、ストリングマップデータＭＰ上の異常があると判断されたストリングＳＴＲ２１が選択された場合には、携帯端末６０は、ストリングマップデータＭＰ上において、選択されたストリングＳＴＲ２１を形成する複数のＰＶパネルの接続状態を、範囲線ＣＮＴＬ１を用いて具体的に表示する。
【００８３】
例えば図７では、携帯端末６０は、異常があると判断されたストリングＳＴＲ２１とこのストリングＳＴＲ２１を形成する複数のＰＶパネルＰＶ１〜ＰＶ１０との接続関係として、
（接続関係１）異常があると判断されたストリングＳＴＲ２１は、合計１０枚のＰＶパネルＰＶ１〜ＰＶ１０が直列に接続されることで形成される、という接続状態を表示部６２の画面（例えばストリングマップデータＭＰとは別の画面）に表示する。
【００８４】
これにより、携帯端末６０は、異常があると判断されたストリングＳＴＲ２１の設置場所に到着した後に該当するストリングＳＴＲ２１を目視によって確認する場合に、このストリングＳＴＲ２１を形成する複数のＰＶパネルＰＶ１〜ＰＶ１０の接続状態、即ち、異常があると判断されたストリングＳＴＲ２１のうち、実際に異常がある可能性が高いＰＶパネルと同一のストリングＳＴＲ２１を形成する他のＰＶパネルとの接続状態をメンテナンス作業員に対して視覚的に示すことができる。従って、携帯端末６０は、メンテナンス作業の対象となるＰＶパネルをメンテナンス作業員が特定するために要する時間を短縮させることができ、メンテナンス作業員の作業効率の劣化を抑制することができる。
【００８５】
（異常があると判断されたストリングの位置を報知させる第１のパターン）
本実施形態では、異常があると判断されたストリングの位置をメンテナンス作業員が知らない場合には、携帯端末６０は、例えば異常があると判断されたストリングに対応するストリングモニタ子機に、所定音を出力させ、ＬＥＤにより所定色の光を点灯させ、又は特定周波数の信号を送信させる。
【００８６】
ただし、異常があると判断されたストリングに対応するストリングモニタ子機に所定音を出力させ、ＬＥＤにより所定色の光を点灯させ、又は特定周波数の信号を送信させる方法以外に、図８に示す第１のパターン又は図９に示す第２のパターンが考えられる。
【００８７】
先ず、第１のパターンについて、図８を参照して説明する。図８は、異常があると判断されたストリングＳＴＲ１の選択操作に応じて、該当するストリングＳＴＲ１に対応して設けられたストリングモニタ子機ＭＳＬ１又は周囲に設置されたポールＰＬに取り付けられた専用端末ＥＸＭから音声出力させる例の説明図である。なお、図８には、携帯端末６０がストリングモニタ子機ＭＳＬ１に所定音を出力させる例も確認的に図示されている。
【００８８】
第１のパターンでは、携帯端末６０は、メンテナンス作業員により、ストリングマップデータＭＰを表示部６２に表示させる旨の入力操作が操作部６１に対して入力された場合には、モニタサーバ９０にストリングマップデータＭＰの取得要求を送信する（Ｓｔ１）。モニタサーバ９０は、携帯端末６０から送信されたストリングマップデータＭＰの取得要求に応じて、ストリングマップデータＭＰを生成して携帯端末６０に返送する（Ｓｔ２）。
【００８９】
携帯端末６０は、モニタサーバ９０から返送されたストリングマップデータＭＰを表示部６２の画面に表示し、この表示されたストリングマップデータＭＰに対し、メンテナンス作業員により、異常があると判断されたストリング（例えばストリングＳＴＲ１とする）が選択された場合には、異常があると判断されたストリングＳＴＲ１の付近に設置されているポールＰＬに取り付けられた専用端末ＥＸＭに、所定音を出力させ、ＬＥＤにより所定色の光を点灯させ、又は特定周波数の信号を送信させるための特定動作制御信号を生成してデータロガー８０に送信する（Ｓｔ３）。
【００９０】
データロガー８０は、携帯端末６０から送信された特定動作制御信号をストリングモニタ親機ＭＭＳに転送する（Ｓｔ４）。ストリングモニタ親機ＭＭＳは、データロガー８０から転送された特定動作制御信号を、異常があると判断されたストリングＳＴＲ１の付近に設置されているポールＰＬに取り付けられた専用端末ＥＸＭに送信する（Ｓｔ５）。
【００９１】
専用端末ＥＸＭは、ストリングモニタ親機ＭＭＳから送信された特定動作制御信号に従って、所定音を出力させ、ＬＥＤにより所定色の光を点灯させ、又は特定周波数の信号を送信する（Ｓｔ６）。これにより、携帯端末６０は、メンテナンス作業員にメンテナンス作業の対象となるストリング（例えばストリングＳＴＲ１）への効率的なガイドを行うことができ、メンテナンス作業現場への到着時間を短縮させることができる。
【００９２】
（異常があると判断されたストリングの位置を報知させる第２のパターン）
次に、第２のパターンについて、図９及び図１０を参照して説明する。図９は、異常があると判断されたストリングＳＴＲ１の選択操作に応じて、該当するストリングＳＴＲ１に対応して設けられたストリングモニタ子機ＭＳＬ１から送信された特定周波数の信号を受信する受信端末ＲＣＭに表示された信号レベルを用いて、該当するストリングＳＴＲ１の設置場所を作業者にガイドする例の説明図である。図１０は、図９に示す受信端末ＲＣＭのハードウェア構成を詳細に示すブロック図である。
【００９３】
第２のパターンでも第１のパターンと同様に、携帯端末６０は、ストリングマップデータＭＰの取得要求をモニタサーバ９０に送信し、モニタサーバ９０から送信されたストリングマップデータＭＰを表示部６２に表示する。図９に示すステップＳｔ１〜Ｓｔ３の内容は図８に示すステップＳｔ１〜Ｓｔ３と同一であるため、説明を省略する。
【００９４】
携帯端末６０は、モニタサーバ９０から返送されたストリングマップデータＭＰを表示部６２の画面に表示し、この表示されたストリングマップデータＭＰに対し、メンテナンス作業員により、異常があると判断されたストリング（例えばストリングＳＴＲ１とする）が選択された場合には、異常があると判断されたストリングＡＢＳＴＲに対応するストリングモニタ子機に、特定周波数の信号を送信させ、且つ、太陽光発電システム１００のメンテナンス作業員により所持される受信端末ＲＣＭに特定周波数の信号を受信させるための特定動作制御信号を生成してデータロガー８０に送信する（Ｓｔ３’）。
【００９５】
データロガー８０は、携帯端末６０から送信された特定動作制御信号をストリングモニタ親機ＭＭＳに転送する（Ｓｔ４）。ストリングモニタ親機ＭＭＳは、データロガー８０から転送された特定動作制御信号を、異常があると判断されたストリングＳＴＲ１に対応するストリングモニタ子機ＭＳＬ１に送信する（Ｓｔ５’）。
【００９６】
ストリングモニタ子機ＭＳＬ１は、ストリングモニタ親機ＭＭＳから送信された特定動作制御信号に従って、特定周波数の信号を、メンテナンス作業員により所持される受信端末ＲＣＭに送信する（Ｓｔ６’）。受信端末ＲＣＭは、図１０に示すように、電源部ＲＣ１と、受信部ＲＣ２と、信号レベル判定部ＲＣ３と、表示部ＲＣ４とを含む構成である。受信部ＲＣ２、信号レベル判定部ＲＣ３及び表示部ＲＣ４には、電源部ＲＣ１から各部の動作に必要な電力が供給される。
【００９７】
受信端末ＲＣＭは、ストリングモニタ子機ＭＳＬ１から送信された特定周波数の信号を受信部ＲＣにおいて受信し、受信された特定周波数の信号の信号レベルを信号レベル判定部ＲＣ３において判定（算出）する。受信端末ＲＣＭは、特定周波数の信号の信号レベルの判定結果（算出結果）を表示部ＲＣ４において表示する。メンテナンス作業員は、携帯端末６０及び受信端末ＲＣＭを所持しながら、受信端末ＲＣＭの表示部ＲＣ４において表示された特定周波数の信号の信号レベルを確認することにより、メンテナンス作業の対象となるストリングＳＴＲ１に近づくことができる。
【００９８】
これにより、携帯端末６０は、メンテナンス作業員にメンテナンス作業の対象となるストリング（例えばストリングＳＴＲ１）への効率的なガイドを行うことができ、メンテナンス作業現場への到着時間を短縮させることができる。
【００９９】
最後に、本発明に係る携帯端末及び接続表示方法の構成、作用及び効果について説明する。
【０１００】
本発明の一実施形態は、複数の太陽光パネルを含む太陽光発電システムの少なくとも一部を表示可能な表示部と、前記太陽光発電システムの少なくとも一部を構成する電気的要素を選択可能な操作部と、前記操作部によって選択された電気的要素の電気的な接続状態を前記表示部に表示させる制御部と、を備える、表示装置である。
【０１０１】
この構成では、表示装置は、複数の太陽光パネルを含む太陽光発電システムの少なくとも一部を表示部において表示し、操作部により、太陽光発電システムの一部を構成する電気的要素が選択された場合には、選択された電気的要素の電気的な接続状態を表示部において表示させる。
【０１０２】
これにより、表示装置は、例えばメンテナンス作業員によるメンテナンス作業において、太陽光発電システムの一部を構成する電気的要素（例えば太陽光パネル）が表示部において選択された場合に、選択された電気的要素の電気的な接続関係を視覚的に示すことができる。従って、表示装置は、メンテナンス作業の対象となるＰＶパネルをメンテナンス作業員が特定するために要する時間を短縮させることができ、メンテナンス作業員の作業効率の劣化を抑制することができる。
【０１０３】
また、本発明の一実施形態は、前記操作部において、前記電気的要素として前記太陽光パネルが選択される場合、前記制御部は、少なくとも前記太陽光パネルに接続されるケーブルを前記表示部に表示させる、表示装置である。
【０１０４】
この構成では、操作部が電気的要素として太陽光パネルを選択した場合に、制御部は、選択された太陽光パネルに接続されるケーブルを表示部に表示させる。
【０１０５】
これにより、表示装置は、電気的要素として太陽光パネルがメンテナンス作業員の操作により選択された場合には、メンテナンス作業員に対して、太陽光パネルと電気的な接続関係を有するケーブルを視覚的に示すことができる。
【０１０６】
また、本発明の一実施形態は、前記太陽光発電システムが前記複数の太陽光パネルが直列に接続された１つ以上のストリングを含み、前記操作部において前記ストリングの少なくとも一部を構成する電気的要素が選択される場合、前記制御部は、前記ストリングの少なくとも一部を構成する複数の太陽光パネルの接続状態を前記表示部に表示させる、表示装置である。
【０１０７】
この構成では、太陽光発電システムが複数の太陽光パネルが直列に接続された１つ以上のストリングを含み、操作部により、ストリングの少なくとも一部を構成する電気的要素が選択される場合には、制御部は、ストリングの少なくとも一部を構成する複数の太陽光パネルの電気的な接続状態を表示部に表示させる。
【０１０８】
これにより、表示装置は、電気的要素としてストリングの少なくとも一部を構成する電気的要素がメンテナンス作業員の操作により選択された場合には、メンテナンス作業員に対して、ストリングの少なくとも一部を構成する複数の太陽光パネルの接続状態を視覚的に示すことができる。
【０１０９】
また、本発明の一実施形態は、前記太陽光発電システムが前記複数の太陽光パネルが直列に接続された複数のストリングを集線する接続箱を含み、前記操作部において前記ストリングの少なくとも一部を構成する電気的要素が選択される場合、前記制御部は、少なくとも前記接続箱を前記表示部に表示させる、表示装置である。
【０１１０】
この構成では、太陽光発電システムが複数の太陽光パネルが直列に接続された複数のストリングを集線する接続箱を含み、操作部により、ストリングの少なくとも一部を構成する電気的要素が選択される場合には、制御部は、少なくとも接続箱を表示部に表示させる。
【０１１１】
これにより、表示装置は、電気的要素としてストリングの少なくとも一部を構成する電気的要素がメンテナンス作業員の操作により選択された場合には、メンテナンス作業員に対して、少なくとも接続箱を視覚的に示すことができる。
【０１１２】
また、本発明の一実施形態は、前記操作部において前記接続箱が選択される場合、前記制御部は、前記接続箱に接続される前記ストリングの少なくとも一部を構成する電気的要素を前記表示部に表示させる、表示装置である。
【０１１３】
この構成では、操作部により接続箱が選択される場合に、制御部は、接続箱に接続されるストリングの少なくとも一部を構成する電気的要素を表示部に表示させる。
【０１１４】
これにより、表示装置は、電気的要素として接続箱がメンテナンス作業員の操作により選択された場合には、メンテナンス作業員に対して、接続箱に接続されるストリングの少なくとも一部を構成する電気的要素を視覚的に示すことができる。
【０１１５】
また、本発明の一実施形態は、前記太陽光発電システムが少なくとも１つの太陽光パネルの出力電力を制御する発電制御装置を含み、前記操作部において前記発電制御装置に接続される前記電気的要素が選択される場合、前記制御部は、少なくとも前記発電制御装置を前記表示部に表示させる、表示装置である。
【０１１６】
この構成では、太陽光発電システムが少なくとも１つの太陽光パネルの出力電力を制御する発電制御装置を含み、操作部により、発電制御装置に接続される電気的要素が選択される場合には、制御部は、少なくとも発電制御装置を表示部に表示させる。
【０１１７】
これにより、表示装置は、電気的要素として発電制御装置に接続される電気的要素がメンテナンス作業員の操作により選択された場合には、メンテナンス作業員に対して、この電気的要素に接続される発電制御装置を少なくとも視覚的に示すことができる。
【０１１８】
また、本発明の一実施形態は、前記操作部において前記発電制御装置が選択される場合、前記制御部は、前記発電制御装置に接続される前記電気的要素を前記表示部に表示させる、表示装置である。
【０１１９】
この構成では、操作部により、発電制御装置が選択される場合には、制御部は、発電制御装置に接続される電気的要素を表示部に表示させる。
【０１２０】
これにより、表示装置は、電気的要素として発電制御装置がメンテナンス作業員の操作により選択された場合には、メンテナンス作業員に対して、発電制御装置に接続される電気的要素を少なくとも視覚的に示すことができる。
【０１２１】
本発明の一実施形態は、前記ストリング毎に、各ストリングを形成する太陽光パネルの接続状態を示す第１の接続状態データを記憶する記憶部、を更に備え、前記表示部は、前記太陽光発電システムにおける前記１つ以上のストリングの設置位置を示すマップデータを表示し、前記制御部は、前記表示部に表示された前記マップデータにおいて、前記１つ以上のストリングのうちいずれかのストリングの選択操作に応じて、前記第１の接続状態データを用いて、選択された前記ストリングを形成する前記複数の太陽光パネルの接続状態を前記表示部に表示させる、表示装置である。
【０１２２】
この構成では、表示装置は、複数のＰＶパネルが直列に接続された１つ以上のストリングを含む太陽光発電システムのメンテナンス作業員により用いられる。携帯端末の記憶部には、ストリング毎に、各ストリングを形成するＰＶパネルの接続状態を示す第１の接続状態データが記憶される。表示部には、太陽光発電システムにおける１つ以上のストリングの設置位置を示すストリングマップデータが表示される。携帯端末の制御部は、表示されたストリングマップデータにおいて、１つ以上のストリングのうちいずれかのストリングの選択操作に応じて、第１の接続状態データを用いて、選択されたストリングを形成する複数のＰＶパネルの接続状態を表示部に表示させる。
【０１２３】
これにより、表示装置は、メンテナンス作業員によるメンテナンス作業において、異常があると判断されたストリングの設置場所に到着した後に該当するストリングを目視によって確認する場合に、このストリングを形成する複数のＰＶパネルの接続状態、即ち、異常があると判断されたストリングのうち、実際に異常がある可能性が高いＰＶパネルと同一のストリングを形成する他のＰＶパネルとの接続状態をメンテナンス作業員に対して視覚的に示すことができる。従って、表示装置は、メンテナンス作業の対象となるＰＶパネルをメンテナンス作業員が特定するために要する時間を短縮させることができ、メンテナンス作業員の作業効率の劣化を抑制することができる。
【０１２４】
また、本発明の一実施形態は、ｎ（ｎ：２以上の整数）個のストリングと、前記ｎ個のストリングを個別に接続する電力線を集線する接続箱との接続状態を示す第２の接続状態データを記憶する記憶部、を更に備え、前記制御部が、前記ｎ個のストリングのうちいずれかのストリングの選択操作に応じて、前記第２の接続状態データを用いて、選択された前記ストリングと選択された前記ストリングに対応する前記接続箱との接続状態を前記表示部に表示させる、表示装置である。
【０１２５】
この構成では、表示装置の記憶部には、ｎ個のストリングとｎ個のストリングを個別に接続する電力線を集線する接続箱との接続状態を示す第２の接続状態データが記憶される。表示装置の制御部は、ｎ個のストリングのうちいずれかのストリングの選択操作に応じて、選択されたストリングとこのストリングに対応する接続箱との接続状態を表示部に表示させる。
【０１２６】
これにより、表示装置は、メンテナンス作業員がメンテナンス作業の最初に接続箱内に設けられたストリングのブレーカをオフさせる必要があるので、異常があると判断されたストリングとこのストリングに対応する接続箱との接続状態（例えば配線状態）を視覚的に示すことにより、メンテナンス作業員の作業効率を向上させることができる。
【０１２７】
また、本発明の一実施形態は、前記記憶部が、ｎ（ｎ：２以上の整数）個のストリングと、前記ｎ個のストリングを個別に接続する電力線を集線する接続箱と、ｍ（ｍ：２以上の整数）個の前記接続箱を介して（ｎ×ｍ）個の前記ストリングにより測定された直流電力を所定電力に変換するパワーコンディショナとの接続状態を示す第３の接続状態データと、を更に記憶し、前記制御部が、前記表示部に表示された前記ストリングマップデータにおける前記（ｎ×ｍ）個のストリングのうちいずれかのストリングの選択操作に応じて、前記第３の接続状態データを用いて、選択された前記ストリングと選択された前記ストリングに対応する前記接続箱と前記パワーコンディショナとの接続状態を前記表示部に表示させる、表示装置である。
【０１２８】
この構成では、表示装置の記憶部には、ｎ個のストリングとｎ個のストリングを個別に接続する電力線を集線する接続箱とｍ個の接続箱を介して（ｎ×ｍ）個のストリングにより測定された直流電力を所定電力に変換するパワーコンディショナとの接続状態を示す第３の接続状態データが記憶される。表示装置の制御部は、表示部に表示されたストリングマップデータにおける（ｎ×ｍ）個のストリングのうちいずれかのストリングの選択操作に応じて、選択されたストリングとこのストリングに対応する接続箱とパワーコンディショナとの接続状態を表示部に表示させる。
【０１２９】
これにより、表示装置は、メンテナンス作業員がメンテナンス作業の最初に接続箱内に設けられたストリングのブレーカをオフさせる必要があるので、異常があると判断されたストリングとこのストリングに対応する接続箱とパワーコンディショナとの接続状態（例えば配線状態）を視覚的に詳細に示すことにより、異常があると判断されたストリングと接続箱との接続状態だけでなく、この接続箱とこの接続箱に対応するパワーコンディショナとの接続状態を考慮した上でメンテナンス作業を実行させることができ、メンテナンス作業の作業効率及び安全性を向上させることができる。
【０１３０】
また、本発明の一実施形態は、前記記憶部が、ｎ（ｎ：２以上の整数）個のストリングと、前記ｎ個のストリングを個別に接続する電力線を集線する接続箱と、ｍ（ｍ：２以上の整数）個の前記接続箱を介して（ｎ×ｍ）個の前記ストリングにより測定された直流電力を所定電力に変換するパワーコンディショナとの接続状態を示す第３の接続状態データと、を更に記憶し、前記制御部が、前記表示部に表示された前記ストリングマップデータにおける前記パワーコンディショナの選択操作に応じて、前記第３の接続状態データを用いて、選択された前記パワーコンディショナと選択された前記パワーコンディショナに対応するｍ個の前記接続箱と（ｎ×ｍ）個の前記ストリングとの接続状態を前記表示部に表示させる、表示装置である。
【０１３１】
この構成では、表示装置の記憶部には、ｎ個のストリングとｎ個のストリングを個別に接続する電力線を集線する接続箱とｍ個の接続箱を介して（ｎ×ｍ）個のストリングにより測定された直流電力を所定電力に変換するパワーコンディショナとの接続状態を示す第３の接続状態データが記憶される。表示装置の制御部は、表示部に表示されたストリングマップデータにおけるパワーコンディショナの選択操作に応じて、選択されたパワーコンディショナとこのパワーコンディショナに対応するｍ個の接続箱と（ｎ×ｍ）個のストリングとの接続状態を表示部に表示させる。
【０１３２】
これにより、表示装置は、パワーコンディショナに異常があると判断された場合でも、このパワーコンディショナとこのパワーコンディショナに対応するｍ個の接続箱と（ｎ×ｍ）個のストリングとの接続状態を視覚的に詳細に示すことにより、該当するパワーコンディショナのメンテナンス作業に伴う接続箱及びストリングへの影響をメンテナンス作業員に分かり易く明示することができる。
【０１３３】
また、本発明の一実施形態は、複数の太陽光パネルを含む太陽光発電システムの少なくとも一部を表示可能な表示部と、前記太陽光発電システムの少なくとも一部を構成する電気的要素の異常を検出可能な異常検出部と、前記異常検出部によって検出された電気的要素の電気的な接続関係を前記表示部に表示させる表示部と、を備える、表示装置である。
【０１３４】
この構成では、表示装置は、複数の太陽光パネルを含む太陽光発電システムの少なくとも一部を表示部において表示し、太陽光発電システムの少なくとも一部を構成する電気的要素の異常を検出し、異常が検出された電気的要素の電気的な接続関係を表示部に表示させる。
【０１３５】
これにより、表示装置は、例えばメンテナンス作業員によるメンテナンス作業において、太陽光発電システムの一部を構成する電気的要素（例えば太陽光パネル）の異常が検出された場合に、異常が検出された電気的要素の電気的な接続関係を視覚的に示すことができる。従って、表示装置は、メンテナンス作業の対象となるＰＶパネルをメンテナンス作業員の作業時間を短縮させることができ、メンテナンス作業員の作業効率の劣化を抑制することができる。
【０１３６】
また、本発明の一実施形態は、複数の太陽光パネルを含む太陽光発電システムの少なくとも一部を表示可能な表示部と、前記太陽光発電システムの少なくとも一部を構成する電気的要素の異常を検出可能な異常検出部と、前記異常検出部によって検出された電気的要素の電気的な接続関係を前記表示部に表示させる制御部と、電力を蓄電可能であり、前記表示部に給電可能な蓄電部と、を備える、携帯端末である。
【０１３７】
この構成では、携帯端末は、電力を蓄電可能であって表示部に対して電力を給電する蓄電部を有し、複数の太陽光パネルを含む太陽光発電システムの少なくとも一部を表示部において表示し、太陽光発電システムの少なくとも一部を構成する電気的要素の異常を検出し、異常が検出された電気的要素の電気的な接続関係を表示部に表示させる。
【０１３８】
これにより、携帯端末は、例えばメンテナンス作業員によるメンテナンス作業において、太陽光発電システムの一部を構成する電気的要素（例えば太陽光パネル）の異常が検出された場合に、異常が検出された電気的要素の電気的な接続関係を視覚的に示すことができる。従って、表示装置は、メンテナンス作業の対象となるＰＶパネルをメンテナンス作業員の作業時間を短縮させることができ、メンテナンス作業員の作業効率の劣化を抑制することができる。更に、携帯端末は、蓄電部に蓄電された電力を用いて表示部に対して給電することができるので、外部電源（例えば商用電源）を不要として動作できる。
【０１３９】
また、本発明の一実施形態は、前記携帯端末の位置情報を取得する位置情報取得部、を更に備え、前記制御部が、前記表示部に表示されたの少なくとも一部を構成する電気的要素の電気的な接続関係に、前記位置情報取得部により取得された前記携帯端末の位置情報を更に表示させる、携帯端末である。
【０１４０】
この構成では、携帯端末の位置情報取得部は、携帯端末の位置情報を取得する。携帯端末の制御部は、表示部に表示された、太陽光発電システムの少なくとも一部を構成する電気的要素の電気的な接続関係に携帯端末の位置情報を更に表示させる。
【０１４１】
これにより、携帯端末は、携帯端末を所持するメンテナンス作業員に対して、メンテナンス作業員の現在位置と異常があると判断されたストリングの設置位置との両方をストリングマップデータにより視覚的に示すことにより、メンテナンス作業員にメンテナンス作業の対象となるストリングへの効率的なガイドを行うことができ、メンテナンス作業現場への到着時間を短縮させることができる。
【０１４２】
また、本発明の一実施形態は、前記制御部が、前記太陽光発電システムの少なくとも一部を構成する電気的要素のうち、異常があると判断された前記電気的要素の選択操作に応じて、選択された前記電気的要素の太陽光発電における発電量を測定する無線測定器に、所定の音声を出力させ、所定色の光を点灯させ、又は特定周波数の信号を送信させる、携帯端末である。
【０１４３】
この構成では、携帯端末の制御部は、太陽光発電システムの少なくとも一部を構成する電気的要素のうち、異常があると判断された電気的要素の選択操作に応じて、この選択された電気的要素の太陽光発電における発電量を測定する無線測定器（ストリングモニタ子機）に、所定の音声を出力させ、所定色の光を点灯させ又は特定周波数の信号を送信させる。
【０１４４】
これにより、携帯端末は、メンテナンス作業員がメンテナンス作業の対象となるストリングの発電量を測定するストリングモニタ子機に所定音を出力させ、所定色の光を点灯させ又は特定周波数の信号を送信させることにより、メンテナンス作業員にメンテナンス作業の対象となる電気的要素（例えばストリング）への効率的なガイドを行うことができ、メンテナンス作業現場への到着時間を短縮させることができる。
【０１４５】
また、本発明の一実施形態は、前記制御部が、前記太陽光発電システムの少なくとも一部を構成する電気的要素のうち、異常があると判断された前記電気的要素の選択操作に応じて、前記太陽光発電システムの設置範囲内に設けられた第１の外部機器に所定の音声を出力させ、所定色の光を点灯させ又は特定周波数の信号を送信させる、携帯端末である。
【０１４６】
この構成では、携帯端末の制御部は、太陽光発電システムにおける１つ以上のストリングのうち、異常があると判断された電気的要素の選択操作に応じて、太陽光発電システムの設置範囲内に設けられた第１の外部機器（例えばポールに設置された専用端末）に所定の音声を出力させ、所定色の光を点灯させ又は特定周波数の信号を送信させる。
【０１４７】
これにより、携帯端末は、太陽光発電システムの設置範囲内に設けられた第１の外部機器に所定音を出力させ、所定色の光を点灯させ又は特定周波数の信号を送信させることにより、メンテナンス作業員にメンテナンス作業の対象となる電気的要素（例えばストリング）への効率的なガイドを行うことができ、メンテナンス作業現場への到着時間を短縮させることができる。
【０１４８】
また、本発明の一実施形態は、前記制御部が、前記太陽光発電システムの少なくとも一部を構成する電気的要素のうち、異常があると判断された前記電気的要素の選択操作に応じて、選択された前記電気的要素の太陽光発電における発電量を測定する無線測定器に特定周波数の信号を送信させ、前記太陽光発電システムのメンテナンス作業員により所持される第２の外部機器に前記特定周波数の信号を受信させる、携帯端末である。
【０１４９】
この構成では、携帯端末の制御部は、太陽光発電システムの少なくとも一部を構成する電気的要素のうち、異常があると判断された電気的要素の選択操作に応じて、この選択された電気的要素の太陽光発電における発電量を測定する無線測定器（ストリングモニタ子機）に特定周波数の信号を送信させ、太陽光発電システムのメンテナンス作業員により所持される第２の外部機器に特定周波数の信号を受信させる。
【０１５０】
これにより、携帯端末は、メンテナンス作業員がメンテナンス作業の対象となる電気的要素（例えば）ストリングの発電量を測定するストリングモニタ子機に特定周波数の信号を送信させ、更に、メンテナンス作業員が所持する第２の外部機器に特定周波数の信号を受信させることにより、メンテナンス作業員にメンテナンス作業の対象となるストリングへの効率的なガイドを行うことができ、メンテナンス作業現場への到着時間を短縮させることができる。
【０１５１】
また、本発明の一実施形態は、複数の太陽光パネルを含む太陽光発電システムにおいて用いられる表示装置における接続表示方法であって、前記太陽光発電システムの少なくとも一部の電気的要素を表示するステップと、前記太陽光発電システムの少なくとも一部の電気的要素の選択を受け付けるステップと、選択された前記電気的要素の電気的な接続関係を表示するステップと、を有する、接続表示方法である。
【０１５２】
この方法では、表示装置は、複数の太陽光パネルを含む太陽光発電システムの少なくとも一部を表示部において表示し、操作部により、太陽光発電システムの一部を構成する電気的要素が選択された場合には、選択された電気的要素の電気的な接続状態を表示部において表示させる。
【０１５３】
これにより、表示装置は、例えばメンテナンス作業員によるメンテナンス作業において、太陽光発電システムの一部を構成する電気的要素（例えば太陽光パネル）が表示部において選択された場合に、選択された電気的要素の電気的な接続関係を視覚的に示すことができる。従って、表示装置は、メンテナンス作業の対象となるＰＶパネルをメンテナンス作業員が特定するために要する時間を短縮させることができ、メンテナンス作業員の作業効率の劣化を抑制することができる。
【０１５４】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【０１５５】
本発明は、太陽光発電システムにおいて、異常があると判断されたストリングの中で、作業員がメンテナンスの対象となるＰＶパネルを特定するために要する時間を短縮し、作業員の作業効率の劣化を抑制する携帯端末及び接続表示方法に有用である。
【符号の説明】
【０１５６】
１１Ａ１、１１Ａ２、１１Ａ３、１１Ａ４、１１Ａ５、１２Ａ１、１２Ａ２、１２Ａ３、１２Ａ４、１２Ａ５、１３Ａ１、１３Ａ２、１３Ａ３、１３Ａ４、１３Ａ５  ＰＶパネル
４０、ＡＢ４０  接続箱
５０、５０ａ、５０ｂ  パワーコンディショナ
６０  携帯端末
６０Ｐ  携帯端末位置
６１  操作部
６２  表示部
６３、ＳＬ７  位置情報取得部
６４、ＳＬ２  制御部
６５  通信部
６６  太陽光発電システムＤＢ
８０  データロガー
９０  モニタサーバ
１００  太陽光発電システム
ＡＢＳＴＲ  異常があると判断されたストリング
ＡＢ５０ａ  異常があると判断されたパワーコンディショナ
ＣＮＴ、ＣＮＴＬ１  接続ライン
ＥＸＭ  専用端末
ＭＭＳ  ストリングモニタ親機
ＭＰ  ストリングマップデータ
ＭＳＬ１、ＭＳＬ２、ＭＳＬ３  ストリングモニタ子機
ＰＶ１、ＰＶ２、ＰＶ３、ＰＶ４、ＰＶ５、ＰＶ６、ＰＶ７、ＰＶ８、ＰＶ９、ＰＶ１０  ＰＶパネル
ＲＣ２  受信部
ＲＣ３  信号レベル判定部
ＲＣＭ  受信端末
ＲＣ１、ＳＬ１  電源部
ＳＬ３  電流検出部
ＳＬ４  電圧検出部
ＳＬ５  有線通信部
ＳＬ６  無線通信部
ＳＬ８  報知部
ＳＴＲ、ＳＴＲ１、ＳＴＲ２、ＳＴＲ３、ＳＴＲ２１  ストリング
【図１】
2015162520.tif 000003
【図２】
2015162520.tif 000004
【図３】
2015162520.tif 000005
【図４】
2015162520.tif 000006
【図７】
2015162520.tif 000007
【図８】
2015162520.tif 000008
【図９】
2015162520.tif 000009
【図１０】
2015162520.tif 000010
【図５】
2015162520.tif 000011
【図６】
2015162520.tif 000012